【手続補正書】
【提出日】平成19年11月7日(2007.11.7)
【手続補正１】
【補正対象書類名】特許請求の範囲
【補正対象項目名】全文
【補正方法】変更
【補正の内容】
【特許請求の範囲】
【請求項１】
呼設定遅延の減少方法であって、
チャネル割り当てにおいて移動局（ＭＳ）が初期チャネルの提供可能なデータレートより高いデータレートを必要とするか否かをチャネル割り当てより前に基地局（ＢＳ）が判定するデータレート必要性判定工程と、
ＭＳが非トラフィック状態にある場合であって、チャネル割り当てにおいてＭＳは初期チャネルの提供可能なデータレートより高いデータレートを必要とするとＢＳが判定するとき、ＢＳがＭＳに初期チャネル割り当て情報及び補助チャネル割り当て情報を含むチャネル割り当てメッセージングを送信し、ＭＳをトラフィック状態に遷移させるメッセージング送信工程とからなる方法。
【請求項２】
補助チャネル割り当て情報に対応する順方向補助チャネル（ＦＳＣＨ）を介してＢＳがＭＳにデータを送信するデータ送信工程と、補助チャネル割り当て情報はＩＳ−２０００補助チャネル割り当て情報を含むことと、
メッセージング送信工程とデータ送信工程との間にＢＳがＭＳにサービス接続メッセージ（ＳＣＭ）を送信することなく、データが送信されることとを含む請求項１に記載の方法。
【請求項３】
データレート必要性判定工程は、
ＭＳへの送信待ちのデータの量が閾値を超えること、
電子メールがＭＳへの送信待ちであること、及び、
ボイスメールがＭＳへの送信待ちであることのうちの１つ以上のインジケータが提示されているか否かを検知する工程を含む請求項１に記載の方法。
【請求項４】
チャネル割り当てメッセージングは、
補助チャネル識別子、
順方向／逆方向割り当て型の表示、
割り当てられる補助チャネル数の表示、
補助チャネル割り当ての持続時間の表示、
補助チャネル割り当ての開始時間の表示、
開始時間を表示するために用いられる開始時間単位の表示、
不連続伝送の最大許容持続時間の表示、
Ｔ＿ＡＤＤ逆方向補助チャネルアボート機能を使用するか否かの表示、
補助チャネル割り当て用のウォルシュ・カバー識別子の表示、及び、
フレーム当たりビット数のインデックスの表示のうちの１つ以上の情報を含む請求項１に記載の方法。
【請求項５】
データレート必要性判定工程は、ＭＳは初期チャネルの提供可能なデータレートより高いデータレートを必要とするとの明示的な表示なしで、ＭＳは初期チャネルの提供可能なデータレートより高いデータレートを必要とすると予測するデータレート予測工程を含むことと、
データレート予測工程は、
ＭＳが補助チャネル動作可能であること、
利用可能な無線リソースの量が閾値を超えること、
優先サービスレベルがＭＳに関連付けられていること、
ＭＳの最近の補助チャネル利用、
補助チャネルを用いるサービスに関するＭＳの最近の使用、
ＭＳからデータバーストメッセージングが受信されること、
ＭＳがデータサービスを要求していること、
ＭＳがディスパッチサービスを要求していること、
ＭＳは送信準備済みのデータを有することをＭＳが示すこと、
送信待ちのデータの量は閾値を超えることをＭＳが示すこと、及び、
ＭＳのバッテリが不足していることのうちの１つ以上のインジケータが提示されているか否かを検知する工程を含むこととを含む請求項１に記載の方法。
【請求項６】
呼設定遅延の減少方法であって、
初期チャネル割り当て情報を提供するチャネル割り当てを基地局（ＢＳ）が移動局（ＭＳ）に送信し、ＭＳをトラフィック状態に遷移させるチャネル割り当て送信工程と、
サービス接続においてＭＳが初期チャネルの提供可能なデータレートより高いデータレートを必要とするか否かをサービス接続より前にＢＳが判定するデータレート必要性判定工程と、
サービス接続においてＭＳは初期チャネルの提供可能なデータレートより高いデータレートを必要とするとＢＳが判定するとき、ＢＳがトラフィック状態にあるＭＳに補助チャネル割り当て情報を含むサービス接続メッセージングを送信するメッセージング送信工程とからなる方法。
【請求項７】
サービス接続メッセージングはＩＳ−２０００サービス接続メッセージング（ＳＣＭ）を含むことと、
サービス接続メッセージは、
補助チャネル識別子、
順方向／逆方向割り当て型の表示、
割り当てられる補助チャネル数の表示、
補助チャネル割り当ての持続時間の表示、
補助チャネル割り当ての開始時間の表示、
開始時間を表示するために用いられる開始時間単位の表示、
不連続伝送の最大許容持続時間の表示、
Ｔ＿ＡＤＤ逆方向補助チャネルアボート機能を使用するか否かの表示、
補助チャネル割り当て用のウォルシュ・カバー識別子の表示、及び、
フレーム当たりビット数のインデックスの表示のうちの１つ以上の情報を含むこととを含む請求項６に記載の方法。
【請求項８】
呼設定遅延の減少方法であって、
移動局（ＭＳ）をトラフィック状態に遷移させるチャネル割り当てメッセージングを非トラフィック状態にあるＭＳが基地局（ＢＳ）から受信するメッセージング受信工程と、
チャネル割り当てメッセージングは初期チャネル割り当て情報及び補助チャネル割り当て情報を含むことと、
初期チャネル割り当て情報を用いて初期チャネルを取得する初期チャネル取得工程と、
初期チャネル取得工程より後に、補助チャネル割り当て情報に対応する補助チャネルを使用する補助チャネル使用工程とからなる方法。
【請求項９】
発呼メッセージング、ページ応答メッセージング及び再接続メッセージングのうちの１つのメッセージング型からなるメッセージングを介してＭＳがＢＳに補助チャネルの要求を送信する補助チャネル要求送信工程を含む請求項８に記載の方法。
【請求項１０】
呼設定遅延の減少方法であって、
移動局（ＭＳ）をトラフィック状態に遷移させるチャネル割り当てをＭＳが基地局（ＢＳ）から受信するチャネル割り当て受信工程と、
チャネル割り当ては初期チャネル割り当て情報を提供することと、
初期チャネル割り当て情報を用いて初期チャネルを取得する初期チャネル取得工程と、
補助チャネル割り当て情報を含むサービス接続メッセージングをトラフィック状態にあるＭＳが受信するメッセージング受信工程と、
サービス接続より後に、補助チャネル割り当て情報に対応する補助チャネルを使用する補助チャネル使用工程とからなる方法。
【請求項１１】
トランシーバと、同トランシーバに通信可能に接続されているコントローラとからなる基地局（ＢＳ）であって、
コントローラが、
チャネル割り当てにおいて移動局（ＭＳ）が初期チャネルの提供可能なデータレートより高いデータレートを必要とするか否かをチャネル割り当てより前に判定することと、
ＭＳが非トラフィック状態にある場合であって、チャネル割り当てにおいてＭＳは初期チャネルの提供可能なデータレートより高いデータレートを必要とするとＢＳが判定するとき、ＭＳに初期チャネル割り当て情報及び補助チャネル割り当て情報を含むチャネル割り当てメッセージングを送信し、ＭＳをトラフィック状態に遷移させることとを含む基地局。
【請求項１２】
トランシーバと、同トランシーバに通信可能に接続されているコントローラとからなる基地局（ＢＳ）であって、
コントローラが、
初期チャネル割り当て情報を提供するチャネル割り当てをトランシーバを介して移動局（ＭＳ）に送信し、ＭＳをトラフィック状態に遷移させることと、
サービス接続においてＭＳが初期チャネルの提供可能なデータレートより高いデータレートを必要とするか否かをサービス接続より前に判定することと、
サービス接続においてＭＳは初期チャネルの提供可能なデータレートより高いデータレートを必要とするとＢＳが判定するとき、トラフィック状態にあるＭＳに補助チャネル割り当て情報を含むサービス接続メッセージングをトランシーバを介して送信することとを含む基地局。
【請求項１３】
トランシーバと、同トランシーバに通信可能に接続されているプロセッサとからなる移動局（ＭＳ）であって、
プロセッサが、
ＭＳをトラフィック状態に遷移させるチャネル割り当てメッセージングを非トラフィッ
ク状態においてトランシーバを介して基地局（ＢＳ）から受信することと、
チャネル割り当てメッセージングは初期チャネル割り当て情報及び補助チャネル割り当て情報を含むことと、
初期チャネル割り当て情報を用いてトランシーバを使用して初期チャネルを取得することと、
初期チャネルを取得するより後に、補助チャネル割り当て情報に対応する補助チャネルをトランシーバを介して使用することとを含む移動局。
【請求項１４】
トランシーバと、同トランシーバに通信可能に接続されているプロセッサとからなる移動局（ＭＳ）であって、
プロセッサが、
ＭＳをトラフィック状態に遷移させるチャネル割り当てをトランシーバを介して基地局（ＢＳ）から受信することと、
チャネル割り当ては初期チャネル割り当て情報を提供することと、
初期チャネル割り当て情報を用いてトランシーバを使用して初期チャネルを取得することと、
補助チャネル割り当て情報を含むサービス接続メッセージングをトラフィック状態にあるＭＳがトランシーバを介して受信することと、
サービス接続より後に、補助チャネル割り当て情報に対応する補助チャ
ネルを使用することとを含む移動局。